【手続補正書】
【提出日】平成15年8月12日(2003.8.12)
【手続補正１】
【補正対象書類名】明細書
【補正対象項目名】特許請求の範囲
【補正方法】変更
【補正の内容】
【特許請求の範囲】
【請求項１】
処理すべき硬貨を１枚ずつ繰出す繰出し手段と、
この繰出し手段で繰出された硬貨を１枚ずつ搬送する搬送手段と、
この搬送手段で搬送される硬貨の物理的な特徴量を検出する特徴量検出手段と、
この特徴量検出手段で検出された硬貨の特徴量に基づき前記搬送される硬貨の真偽を判定する第１の判定手段と、
前記搬送手段で搬送される硬貨の表面の模様を検出する模様検出手段と、
この模様検出手段で検出された硬貨の模様に基づき前記搬送される硬貨の真偽を判定する第２の判定手段と、
前記第１の判定手段において正貨と判定され、かつ、前記第２の判定手段において前記模様検出手段で検出された硬貨の模様が正貨の範囲から所定量離れていると判定された場合、当該硬貨を損貨と判定する第３の判定手段と、
この第３の判定手段の判定結果に基づき前記搬送される硬貨を正貨と損貨に区分する区分手段と、
この区分手段で区分された正貨と損貨を別々に収納する収納手段と、
を具備したことを特徴とする硬貨処理装置。
【請求項２】
処理すべき硬貨を１枚ずつ繰出す繰出し手段と、
この繰出し手段で繰出された硬貨を１枚ずつ搬送する搬送手段と、
この搬送手段で搬送される硬貨の材質を磁気的に検出する材質検出手段と、
この材質検出手段で検出された硬貨の材質に基づき前記搬送される硬貨の真偽を判定する第１の判定手段と、
前記搬送手段で搬送される硬貨の外径を光学的に検出する外径検出手段と、
この外径検出手段で検出された硬貨の外径に基づき前記搬送される硬貨の真偽を判定する第２の判定手段と、
前記搬送手段で搬送される硬貨の表面の模様を光学的に検出する模様検出手段と、
この模様検出手段で検出された硬貨の模様と標準パターンとの類似度を求めることにより前記搬送される硬貨の真偽を判定する第３の判定手段と、
前記第１および第２の判定手段においてそれぞれ正貨と判定され、かつ、前記第３の判定手段において前記模様検出手段で検出された硬貨の模様と標準パターンとの類似度が正貨と認めるべきレベルから所定量離れていると判定された場合、当該硬貨を模様異常損貨と判定する第４の判定手段と、
この第４の判定手段の判定結果に基づき前記搬送される硬貨を正貨と模様異常損貨に区分する区分手段と、
この区分手段で区分された正貨と模様異常損貨を別々に収納する収納手段と、
を具備したことを特徴とする硬貨処理装置。
【請求項３】
処理すべき硬貨を１枚ずつ繰出す繰出し手段と、
この繰出し手段で繰出された硬貨を１枚ずつ搬送する搬送手段と、
この搬送手段で搬送される硬貨の物理的な特徴量を検出する特徴量検出手段と、
この特徴量検出手段で検出された硬貨の特徴量に基づき前記搬送される硬貨の真偽を判定する第１の判定手段と、
前記搬送手段で搬送される硬貨の表面の模様を検出する模様検出手段と、
この模様検出手段で検出された硬貨の模様に基づき前記搬送される硬貨の真偽を判定する第２の判定手段と、
この第２の判定手段において正貨と判定され、かつ、前記第１の判定手段において前記特徴量検出手段で検出された硬貨の特徴量が正貨の範囲から所定量離れていると判定された場合、当該硬貨を損貨と判定する第３の判定手段と、
この第３の判定手段の判定結果に基づき前記搬送される硬貨を正貨と損貨に区分する区分手段と、
この区分手段で区分された正貨と損貨を別々に収納する収納手段と、
を具備したことを特徴とする硬貨処理装置。
【請求項４】
処理すべき硬貨を１枚ずつ繰出す繰出し手段と、
この繰出し手段で繰出された硬貨を１枚ずつ搬送する搬送手段と、
この搬送手段で搬送される硬貨の材質を磁気的に検出する材質検出手段と、
この材質検出手段で検出された硬貨の材質に基づき前記搬送される硬貨の真偽を判定する第１の判定手段と、
前記搬送手段で搬送される硬貨の外径を光学的に検出する外径検出手段と、
この外径検出手段で検出された硬貨の外径に基づき前記搬送される硬貨の真偽を判定する第２の判定手段と、
前記搬送手段で搬送される硬貨の表面の模様を光学的に検出する模様検出手段と、
この模様検出手段で検出された硬貨の模様と標準パターンとの類似度を求めることにより前記搬送される硬貨の真偽を判定する第３の判定手段と、
この第３の判定手段において正貨と判定され、かつ、前記第１の判定手段において前記材質検出手段で検出された硬貨の材質が正貨と認めるべきレベルから所定量離れていると判定された場合、あるいは、前記第２の判定手段において前記外径検出手段で検出された硬貨の外径が正貨と認めるべきレベルから所定量離れていると判定された場合、当該硬貨を特徴量異常損貨と判定する第４の判定手段と、
この第４の判定手段の判定結果に基づき前記搬送される硬貨を正貨と特徴量異常損貨に区分する区分手段と、
この区分手段で区分された正貨と特徴量異常損貨を別々に収納する収納手段と、
を具備したことを特徴とする硬貨処理装置。
【請求項５】
処理すべき硬貨を１枚ずつ繰出す繰出し手段と、
この繰出し手段で繰出された硬貨を１枚ずつ搬送する搬送手段と、
この搬送手段で搬送される硬貨の物理的な特徴量を検出する特徴量検出手段と、
この特徴量検出手段で検出された硬貨の特徴量に基づき前記搬送される硬貨の真偽を判定する第１の判定手段と、
前記搬送手段で搬送される硬貨の表面の模様を検出する模様検出手段と、
この模様検出手段で検出された硬貨の模様に基づき前記搬送される硬貨の真偽を判定する第２の判定手段と、
前記第１の判定手段において正貨と判定され、かつ、前記第２の判定手段において前記模様検出手段で検出された硬貨の模様が正貨の範囲から所定量離れていると判定された場合、当該硬貨を模様異常損貨と判定する第３の判定手段と、
前記第２の判定手段において正貨と判定され、かつ、前記第１の判定手段において前記特徴量検出手段で検出された硬貨の特徴量が正貨の範囲から所定量離れていると判定された場合、当該硬貨を特徴量異常損貨と判定する第４の判定手段と、
前記第３および第４の判定手段の各判定結果に基づき前記搬送される硬貨を正貨と損貨に区分する区分手段と、
この区分手段で区分された正貨と損貨を別々に収納する収納手段と、
を具備したことを特徴とする硬貨処理装置。
【請求項６】
処理すべき硬貨を１枚ずつ繰出す繰出し手段と、
この繰出し手段で繰出された硬貨を１枚ずつ搬送する搬送手段と、
この搬送手段で搬送される硬貨の物理的な特徴量を検出する特徴量検出手段と、
この特徴量検出手段で検出された硬貨の特徴量に基づき前記搬送される硬貨の真偽を判定する第１の判定手段と、
前記搬送手段で搬送される硬貨の表面の模様を検出する模様検出手段と、
この模様検出手段で検出された硬貨の模様に基づき前記搬送される硬貨の真偽を判定する第２の判定手段と、
前記第１の判定手段において正貨と判定され、かつ、前記第２の判定手段において前記模様検出手段で検出された硬貨の模様が正貨の範囲から所定量離れていると判定された場合、当該硬貨を損貨と判定する第３の判定手段と、
この第３の判定手段の判定結果に基づき前記搬送される硬貨を正貨と損貨に区分する区分手段と、
この区分手段で区分された正貨を収納する正貨収納手段と、
この正貨収納手段内に設けられ、前記区分手段で区分された損貨を収納する損貨収納手段と、
を具備したことを特徴とする硬貨処理装置。
【請求項７】
処理すべき硬貨を１枚ずつ繰出す繰出し手段と、
この繰出し手段で繰出された硬貨を１枚ずつ搬送する搬送手段と、
この搬送手段で搬送される硬貨の物理的な特徴量を検出する特徴量検出手段と、
この特徴量検出手段で検出された硬貨の特徴量に基づき前記搬送される硬貨の真偽を判定する第１の判定手段と、
前記搬送手段で搬送される硬貨の表面の模様を検出する模様検出手段と、
この模様検出手段で検出された硬貨の模様に基づき前記搬送される硬貨の真偽を判定する第２の判定手段と、
この第２の判定手段において正貨と判定され、かつ、前記第１の判定手段において前記特徴量検出手段で検出された硬貨の特徴量が正貨の範囲から所定量離れていると判定された場合、当該硬貨を損貨と判定する第３の判定手段と、
この第３の判定手段の判定結果に基づき前記搬送される硬貨を正貨と損貨に区分する区分手段と、
この区分手段で区分された正貨を収納する正貨収納手段と、
この正貨収納手段内に設けられ、前記区分手段で区分された損貨を収納する損貨収納手段と、
を具備したことを特徴とする硬貨処理装置。
【請求項８】
それぞれが、処理すべき硬貨を１枚ずつ繰出す繰出し手段と、この繰出し手段で繰出された硬貨を１枚ずつ搬送する搬送手段と、この搬送手段で搬送される硬貨の物理的な特徴量を検出する特徴量検出手段と、この特徴量検出手段で検出された硬貨の特徴量に基づき前記搬送される硬貨の真偽を判定する第１の判定手段と、前記搬送手段で搬送される硬貨の表面の模様を検出する模様検出手段と、この模様検出手段で検出された硬貨の模様に基づき前記搬送される硬貨の真偽を判定する第２の判定手段と、前記第１の判定手段の判定結果および前記第２の判定手段の判定結果に基づき当該硬貨が損貨であるか否かを判定する第３の判定手段と、この第３の判定手段の判定結果に基づき前記搬送される硬貨を正貨と損貨に区分する区分手段と、この区分手段で区分された正貨と損貨を別々に収納する収納手段と、この収納手段に収納された損貨を外部へ放出する損貨放出手段とからなる複数の硬貨処理装置と、
これら複数の硬貨処理装置に対して選択的に損貨放出指示を与える損貨放出指示手段と、
この損貨放出指示手段で指示を与えられた硬貨処理装置から前記損貨放出手段により放出される損貨を回収する回収手段と、
この回収手段で回収した損貨を収納する損貨収納手段と、
を具備したことを特徴とする硬貨処理システム。
【請求項９】
それぞれが、処理すべき硬貨を１枚ずつ繰出す繰出し手段と、この繰出し手段で繰出された硬貨を１枚ずつ搬送する搬送手段と、この搬送手段で搬送される硬貨の物理的な特徴量を検出する特徴量検出手段と、この特徴量検出手段で検出された硬貨の特徴量に基づき前記搬送される硬貨の真偽を判定する第１の判定手段と、前記搬送手段で搬送される硬貨の表面の模様を検出する模様検出手段と、この模様検出手段で検出された硬貨の模様に基づき前記搬送される硬貨の真偽を判定する第２の判定手段と、前記第１の判定手段の判定結果および前記第２の判定手段の判定結果に基づき当該硬貨が損貨であるか否かを判定する第３の判定手段と、この第３の判定手段の判定結果に基づき前記搬送される硬貨を正貨と損貨に区分する区分手段と、この区分手段で区分された正貨と損貨を別々に収納する収納手段と、この収納手段に収納された損貨を外部へ放出する損貨放出手段とからなる複数の硬貨処理装置と、
これら複数の硬貨処理装置に対して選択的に損貨放出指示を与える損貨放出指示手段と、
この損貨放出指示手段で指示を与えられた硬貨処理装置から前記損貨放出手段により放出される損貨を回収する回収手段と、
この回収手段で回収した損貨の枚数を計数する計数手段と、
この計数手段の計数結果と硬貨処理装置から放出された損貨の枚数とが一致したとき、前記回収手段で回収した損貨を収納する損貨収納手段と、
前記計数手段の計数結果と硬貨処理装置から放出された損貨の枚数とが不一致のとき、前記回収手段で回収した損貨を当該硬貨処理装置に対して返却する返却手段と、
を具備したことを特徴とする硬貨処理システム。
【請求項１０】
それぞれが、処理すべき硬貨を１枚ずつ繰出す繰出し手段と、この繰出し手段で繰出された硬貨を１枚ずつ搬送する搬送手段と、この搬送手段で搬送される硬貨の物理的な特徴量を検出する特徴量検出手段と、この特徴量検出手段で検出された硬貨の特徴量に基づき前記搬送される硬貨の真偽を判定する第１の判定手段と、前記搬送手段で搬送される硬貨の表面の模様を検出する模様検出手段と、この模様検出手段で検出された硬貨の模様に基づき前記搬送される硬貨の真偽を判定する第２の判定手段と、前記第１の判定手段の判定結果および前記第２の判定手段の判定結果に基づき当該硬貨が損貨であるか否かを判定する第３の判定手段と、この第３の判定手段の判定結果に基づき前記搬送される硬貨を正貨と損貨に区分する区分手段と、この区分手段で区分された正貨と損貨を別々に収納する収納手段と、この収納手段に収納された損貨を外部へ放出する損貨放出手段とからなる複数の硬貨処理装置と、
これら複数の硬貨処理装置に対して選択的に損貨放出指示を与える損貨放出指示手段と、
この損貨放出指示手段で指示を与えられた硬貨処理装置から前記損貨放出手段により放出される損貨を回収する回収手段と、
この回収手段で回収した損貨を収納する損貨収納手段と、
あらかじめ正貨を収納している正貨収納手段と、
この正貨収納手段に収納されている正貨を前記複数の硬貨処理装置に対して選択的に供給する正貨供給手段と、
を具備したことを特徴とする硬貨処理システム。
【請求項１１】
前記複数の硬貨処理装置は、前記正貨供給手段で供給されて実際に受入れた正貨の枚数を計数する計数手段を有し、この計数手段の計数結果と前記正貨供給手段が供給した正貨の枚数とが不一致のとき、前記正貨供給手段で供給されて受入れた正貨を供給元へ返却することを特徴とする請求項１０記載の硬貨処理システム。